(57)【要約】【課題】建築物の軒先に配設される軒樋に雪が堆積したり落ち葉等が混入することがなく、該軒樋が安定に保持されている軒先構造を提供する。【解決手段】本発明は、建築物の軒先に配設される軒樋１が安定に保持される軒先構造であって、前記軒樋１の建築物側壁面１２が、建築物（５Ａ）に連絡されて取り付けられ、前記軒樋１の軒先端側壁面１３と係合すると共にその上面を覆うカバー材２が、建築物（５Ａ）又は外装面（Ｃ）に連絡されて取り付けられていることを特徴とする。【選択図】図１
2019007239.tif 000002
【特許請求の範囲】
【請求項１】
建築物の軒先に配設される軒樋が安定に保持される軒先構造であって、
前記軒樋の建築物側壁面が、建築物に連絡されて保持され、前記軒樋の軒先端が、前記軒樋の上面を覆うカバー材を介して建築物と外装面の何れか若しくは両方に連絡されて保持されていることを特徴とする軒先構造。
【請求項２】
外装面への取付部と、カバー材の被固定部と、軒樋の建築物側壁面を取り付ける支持部と、を備える支持材を用いることを特徴とする請求項１に記載の軒先構造。
【請求項３】
支持材は、軒樋と縦壁面との隙間を隠す化粧部を備えることを特徴とする請求項１又は２に記載の軒先構造。
【発明の詳細な説明】
【技術分野】
【０００１】
本発明は、建築物の軒先に配設される軒樋に雪が堆積したり落ち葉等が混入することがなく、該軒樋が安定に保持されている軒先構造に関する。
【背景技術】
【０００２】
建築物の軒先には、雨水を流す流水路として各種の軒樋が設けられているが、この軒樋の配設に際しては、墨出しを行ってその取付位置を設定することにより、軒樋が長さ方向に勾配を付けて所定位置に取り付けられている。
このような軒樋としては、例えば特許文献１，２のような上方から吊るタイプの軒樋や特許文献３のような下方から支持するタイプの軒樋が知られている。前記特許文献１，２には、建築物側から軒先へ延在させたアームで軒樋の建築物端と軒先端とを上方から吊り支持する構造が提案され、特許文献３には、建築物側から軒先へ延在させたアームで軒樋の底面を下方から支持する構造が提案されている。
【０００３】
また、特許文献４，５に記載の軒樋支持具のように、鼻隠し（縦壁面）に対して軒樋の配設角度を調整することができる構造も提案され、特許文献６に記載の取付構造のように、円弧状の二重構造で勾配に対応しようとする構造も提案されている。
さらに、特許文献７に記載の軒樋装置は、鼻隠し（縦壁面）に固定するカバー材に、変形し難い素材で形成した厚手の軒樋の建築物側の上端及び下端を保持する構造が提案されている。
【０００４】
なお、前記特許文献１〜７には含まれていないが、軒樋の中に雪が堆積したり、雨水に混じって落ち葉等が混入して閉塞状態となってしまうことを防止するため、前記軒樋の表面にはカバー材を配設した構造を採用することが多い。尤も、このようなカバー材は、カバー材を含めた軒樋の荷重を大きくしてしまう。
【先行技術文献】
【特許文献】
【０００５】
【特許文献１】特開２０１６−１９９８７２号公報
【特許文献２】特開２０１５−１８７３７１号公報
【特許文献３】特開２０１６−１９６７８０号公報
【特許文献４】特開２０１６−０４７９８７号公報
【特許文献５】特開２０１３−０６４２７１号公報
【特許文献６】特開２００８−０５７１１０号公報
【特許文献７】実開平５−０３８１５３号公報
【発明の開示】
【発明が解決しようとする課題】
【０００６】
しかしながら、前記特許文献１〜７の構造では、それぞれに軒樋自体の変形については対策が採られているが、軒樋がカバー材を備えていないため、落ち葉等が混入し易い構造であった。
また、前記特許文献１〜６における軒樋にカバー材を配設したとしても、何れも縦壁面に横ビス等で支持アームを固定した構造であって、軒樋の自重や流入する雨水等の荷重に加えて支持アームや落ち葉除けの荷重が加わるため、それらの荷重が横ビス及び縦壁面に集中し、その老朽化に伴って支持強度も極端に低下するという問題があった。
さらに、前記特許文献７に記載の軒樋は、変形し難い素材で形成される厚手のものであるため、それ自体が重いことが推察され、前述の特許文献１〜６と同様に縦壁面に横ビス等で固定した構造であるため、経年の後に取付部位に荷重が集中して支持強度が低下する点も前記特許文献１〜６と同様であった。
そこで、本発明は、建築物の軒先に配設される軒樋に雪が堆積したり落ち葉等が混入することがなく、該軒樋が安定に保持されている軒先構造を提案することを目的とする。
【課題を解決するための手段】
【０００７】
本発明は、上記に鑑み提案されたもので、建築物の軒先に配設される軒樋が安定に保持される軒先構造であって、前記軒樋の建築物側壁面が、建築物に連絡されて取り付けられ、前記軒樋の軒先端が、前記軒樋の上面を覆うカバー材を介して建築物と外装面の何れか若しくは両方に連絡されて取り付けられていることを特徴とする軒先構造に関するものである。
なお、前記「外装面」とは、外装構造を指すものであって、以下の説明でも同様であるが、該構造を構成する部材が取付箇所となる。
【０００８】
また、本発明は、前記軒先構造において、外装材への取付部と、カバー材の被固定部と、軒樋の建築物側壁面を取り付ける支持部と、を備える軒先支持材を用いることを特徴とする軒先構造をも提案する。
【０００９】
また、本発明は、前記軒先構造において、軒先支持材は、軒樋と縦壁面との隙間を隠す化粧部を備えることを特徴とする軒先構造をも提案する。
【発明の効果】
【００１０】
本発明の軒先構造は、軒樋の軒先端及び建築物側をそれぞれ安定に取付したので、軒樋は安定に配設される。なお、軒樋の軒先端については、軒樋の上面を覆うカバー材を、建築物又は外装面の何れか若しくは両方に固定したので、軒樋の軒先端を引っ張るように保持するアームの役割をも果たし、軒樋には雪が堆積したり落ち葉等が混入することもない。
【００１１】
さらに、外装面への取付部と、カバー材の被固定部と、軒樋の建築物側壁面を取り付ける支持部と、を備える支持材を用いる場合、墨出しを行うことなく適正位置に配設できる、即ち軒樋の位置決めにも貢献するという効果がある。
また、この軒先構造は、カバー材と外装面（を形成する外装材）とが一体的に連結されるので、強固な軒先構造となって一体感を有する意匠性を呈する。
さらに、これらのカバー材や外装材、及び軒樋を形成（成形）する原料板材を同材とすることにより、更なる一体感と意匠感を得ることができる。
【００１２】
また、本発明は、前記軒先構造において、支持材は、軒樋と縦壁面との隙間を隠す化粧部を備える場合、該隙間を下方から見上げた際にも化粧部に隠されているので、美麗な外観となる。
【図面の簡単な説明】
【００１３】
【図１】（ａ）本発明の軒先構造の一実施例（第１実施例）を示す側断面図、（ｂ）それに用いた下方材を示す斜視図、（ｃ）それに用いた上方材を示す斜視図である。
【図２】本発明の軒先構造の他の一実施例（第２実施例）を示す側断面図である。
【図３】本発明の軒先構造の他の一実施例（第３実施例）を示す側断面図である。
【図４】（ａ）本発明の軒先構造の他の一実施例（第４実施例）を示す側断面図、（ｂ）それに用いた補強材を示す側面図である。
【図５】（ａ）本発明の軒先構造の他の一実施例（第５実施例）を示す側断面図、（ｂ）本発明の軒先構造の他の一実施例（第６実施例）を示す側断面図、（ｃ）第５実施例に用いた下方材を示す側面図、（ｄ）第５実施例に用いた上方材を示す側面図である。
【図６】（ａ）本発明の軒先構造の他の一実施例（第５実施例の端部）を示す側面図、（ｂ）本発明の軒先構造の他の一実施例（第６実施例の端部）を示す側面図、（ｃ）第６実施例に用いた下方材を示す側面図、（ｄ）第６実施例に用いた上方材を示す側面図である。
【図７】（ａ）本発明の軒先構造の他の一実施例（第７実施例）を示す側断面図、（ｂ）本発明の軒先構造の他の一実施例（第８実施例）を示す側断面図、（ｃ）第７実施例に用いた下方材を示す側面図、（ｄ）第７実施例に用いた上方材を示す側面図である。
【図８】（ａ）本発明の軒先構造の他の一実施例（第９実施例）を示す側断面図、（ｂ）それに用いた上方材を示す側面図、（ｃ）それに用いた下方材を示す側面図である。
【図９】（ａ）本発明の軒先構造の他の一実施例（第１０実施例）を示す側断面図、（ｂ）それに用いた下方材を示す側面図である。
【図１０】本発明の軒先構造の他の一実施例（第１１実施例）を示す側断面図である。
【図１１】（ａ）本発明の軒先構造の他の一実施例（第１２実施例）を示す側断面図、（ｂ）本発明の軒先構造の他の一実施例（第１３実施例）を示す側断面図、（ｃ）第１３実施例に用いた支持材を示す側面図、（ｄ）第１３実施例に用いた上方材を示す側面図である。
【図１２】（ａ）本発明の軒先構造の他の一実施例（第１４実施例）を示す側断面図、（ｂ）第１４実施例に用いた下方材を示す側面図、（ｃ）第１４実施例に用いた上方材を示す側面図である。
【図１３】（ａ）本発明の軒先構造の他の一実施例（第１５実施例）を示す側断面図、（ｂ）第１５実施例に用いた軒先支持材を示す側面図である。
【図１４】（ａ）本発明の軒先構造の他の一実施例（第１６実施例）を示す側断面図、（ｂ）第１６実施例に用いた軒先支持材を示す側面図である。
【発明を実施するための形態】
【００１４】
本発明の軒先構造は、建築物の軒先に配設される軒樋が安定に保持される構造であって、前記軒樋の建築物側壁面が、建築物に連絡されて取り付けられ、前記軒樋の軒先端が、前記軒樋の上面を覆うカバー材を介して建築物と外装面の何れか若しくは両方に連絡されて取り付けられていることを特徴とし、軒樋を安定に保持することができる。
【００１５】
前記本発明の軒先構造にて保持される軒樋は、内部に雨水等の排水路が設けられているものであれば、底面及び両側面の形状は特に限定するものではないが、建築物側壁面の下方には、下方からこの軒樋を支持させるための（例えば隅部状の）被支持部が形成されていることが望ましい。そして、この軒樋の上面を覆うようにカバー材が取り付けられている。
【００１６】
前記カバー材は、その軒先端が軒樋の軒先端と係合して取り付けられるものであって、後述する図示実施例に示すように軒先端に下方へ更に内側へ折曲した略コ字状の係合部を設けてその裏面側に軒樋の軒先端を係合する構成が望ましい。この略コ字状の係合部は、軒樋の軒先端を上方から引っ張るように保持して軒樋の荷重を保持できる。このカバー材は、内部に降雪が堆積したり、落ち葉等が侵入、堆積することを防止する部材であって、その表面には雨水を内部へ導く導水口、例えば小径のスリット孔が形成されている。即ちこのカバー材は、前述の有効な目的の下に配設される部材であり、軒樋の軒先端を引っ張るように保持するアームの役割をも果たすものである。
【００１７】
本発明において、軒樋を安定に配設するということは、軒樋の軒先端及び建築物側をそれぞれ安定に取付（固定）することと同義であり、軒樋の建築物側壁面は、建築物に連絡されて保持され、軒樋の軒先端は、軒樋の上面を覆うカバー材を介して建築物と外装面の何れか若しくは両方に連絡されて保持されていることにより、軒樋は安定に配設される。
【００１８】
前述の軒樋の建築物側壁面が、建築物に連絡されて保持される構成は、例えば前述のように建築物側壁面の下方に、下方からこの軒樋を支持させるための（例えば角状の）被支持部を設け、該被支持部を下方から支持して建築物（の鼻隠し壁面）に固定される下方材を配設すればよく、特にその具体的構成を限定するものではない。
なお、前記下方材には、併せて軒樋の建築物側の上方（上端）を保持する構成、例えば下方が開放する溝状部を設けることにより、軒樋の建築物側の上端を前記溝状部に差し込んで取り付けを容易にすると共に配設後の安定性（被支持部と溝状部間に嵌合状に保持）を向上させるようにしてもよい。
【００１９】
また、前述の軒樋の軒先端が、軒樋の上面を覆うカバー材を介して建築物と外装面の何れか若しくは両方に連絡されて保持される構成は、カバー材と軒樋の軒先端どうしが係合しているので、カバー材の上端（構造物側端）を、建築物又は外装面の何れか、若しくは両方に連絡して保持する構成である。
カバー材の上端を建築物に連絡して保持する構成としては、建築物（の鼻隠し壁面）に固定される下方材に、このカバー材の上端を固定する被固定部を形成する構成などが挙げられる。
カバー材の上端を外装面に連絡して保持する構成としては、外装面（の外装下地や外装材）に固定される上方材に、このカバー材の上端を固定する被固定部を形成する構成などが挙げられる。
【００２０】
なお、軒樋の軒先端の、カバー材を介しての保持は、前述のように建築物でも外装面でも或いはその両方でもよいが、前述のように軒樋の建築物側壁面を建築物（に固定した下方材）に保持させるので、この軒先端は、建築物側壁面とは違う部位、即ち外装面（に固定する上方材）に取り付ける方が荷重の集中を避けられる点で好ましい。
【００２１】
前述の説明に用いた建築物（の鼻隠し壁面）に固定される下方材、外装面（の外装下地や外装材）に固定される上方材についてそれぞれ以下に説明する。
【００２２】
前記下方材は、建築物の鼻隠し壁面に固定される部材であり、軒樋の建築物側壁面に設けた被支持部を下方から支持すると共に、建築物側の上方（上端）を保持する構成、例えば下方が開放する溝状部を設けることが好ましいことは前述のとおりである。言い換えると、この下方材は、軒樋の被支持部を支持する支持部と、鼻隠し壁面への固定部とを備え、前述のようにカバー材の被固定部を形成してもよいし、溝状部を有することが更に望ましい部材である。
なお、この下方材は、アルミや高強度樹脂材等の押出型材で形成されるピース材を所定間隔で配する構成でもよいし、金属板材等を適宜に成形して形成される連続材でもよい。
【００２３】
前記上方材は、外装面を構成する外装下地や外装材に固定される部材であり、言い換えると、この上方材は、外装面を構成する外装下地や外装材への取付部を備える部材であり、前述のようにカバー材の被固定部を形成してもよい部材である。そして、例えば取付部を略コ状に形成することにより、墨出しを行うことなく適正位置に配設できるものである。
なお、この上方材は、外装面からの雨水等を軒樋へ導く役割をも果たすので、その素材としては、アルミ等の押出型材でも、金属板材等の成形材でもよいが、長さ方向に連続する連続材が用いられる。
【００２４】
これらの下方材と上方材は、前述のように一つの部材（＝下方材が上方材を兼ねる）としてもよいが、その場合の下方材は、墨出しを行うことなく適正位置に配設できる、即ち軒樋の位置決めにも貢献するという効果がある。
【００２５】
このような構成を有する本発明の軒先構造は、軒樋の軒先端及び建築物側をそれぞれ安定に取付したもので、軒樋は安定に配設される。なお、軒樋の軒先端については、軒樋の上面を覆う落ち葉除けであるカバー材を、建築物又は外装面の何れか若しくは両方に固定したので、軒樋の軒先端を引っ張るように保持するアームの役割をも果たし、軒樋には雪が堆積したり落ち葉等が混入することもない。
【実施例１】
【００２６】
図１（ａ）に示す第１実施例の軒先構造(I)は、建築物の軒先に配設される軒樋１の内側面１３が、建築物（５Ａ）に連絡されて取り付けられ、前記軒樋１の軒先端１２１が、前記軒樋１の上面を覆うカバー材２を介して建築物（５Ａ）に連絡されて取り付けられている例である。
なお、各部材における部位において、「建築物側」や「軒先側」などの文言を用いて説明してきたが、当該実施例では、符号を付して説明しているので、「内側」や「外側」、「上側」や「下側」といった文言で説明を簡略化する。特に「建築物側」とは、軒樋１の「内側」を示し、カバー材２の「上側」を示すので、そのように表記する。
【００２７】
この第１実施例における軒樋１は、略水平状の底面１１の軒先側（図面では左側）に、三つの傾斜面と二つの略水平面とで構成される段状の側面１２が形成され、前記底面１１の内側（図面では右側）には、略垂直状に起立する側面１３が形成され、これらの底面１１及び側面１２，１３にて雨水等の排水路が形成されている。
前記軒先側の側面１２の上端に位置する傾斜面と略水平面は、カバー材２に保持（係合）される軒先端１２１である。
また、前記内側面１３の下端には、隅部状の被支持部１３１が設けられ、支持材３に下方から支持される部位である。
【００２８】
また、この第１実施例におけるカバー材２は、内部に降雪が堆積したり、落ち葉等が侵入、堆積したり、鳥類等が巣作りすることを防止する部材であって、その表面（化粧面２１）には雨水を内部へ導く導水口２１１として複数の小径のスリット孔が形成され、その下端である軒先端（係合部）２２が前記軒樋１の軒先端１２１と係合して取り付けられ、その上端付近に支持材３に固定される固定部２３が形成されている。なお、略垂直状に折り上げたその上端２４を、最も軒側の外装材６Ｄの軒側成形部６２の裏面側に臨ませている。
前記軒先端２２は、化粧面２１の下端から斜め上方へ延在し、その先端を下方へ折曲し、更にその下端を内側へ折曲した略コ字状の係合部を形成している。
前記固定部２３は、化粧面２１の上端付近に位置する部位であって、当該第１実施例では、建築物（５Ａ）に固定される支持材３に連絡されて取り付けられている。
【００２９】
この第１実施例にて建築物の鼻隠し壁面５Ａに固定される下方材３は、図１（ｂ）に示すように略垂直状の縦面が鼻隠し壁面５Ａへの固定部３１であり、該固定部３１の下端を外側へ折曲して前記軒樋１の被支持部１３１を支持する支持部３２と、前記固定部３１の上端を軒先側へ延在させて前記カバー材２の上端部分を裏面側から支持すると共に固定部２３を固定する被固定部３３とが形成されるピース材である。また、前記固定部３１の上方には、斜め下方へ延在する突出片３１２が形成され、該突出片３１２と固定部３１との間に下方が開放する溝状部３４が形成されている。なお、図中、３１１は固定部３１に打ち込まれる固着具３ｂの打ち込み孔である。
【００３０】
前記支持部３２は前記軒樋１の内側面１３の下端に形成された被支持部１３１を下方から支持する横片であって、前記溝状部３４は前記軒樋１の内側面１３の上端が差し込まれる保持部であるから、極めて容易に前記軒樋１を配設することができる。しかも配設後には、これらの支持部３２と溝状部３４とで前記軒樋１の内側面１３を嵌合状に保持するので、軒樋１は安定に配設されるものとなる。
【００３１】
また、前記被固定部３３は、前記カバー材２の上端部分を裏面側から支持すると共に固定部２３を固定する略弧状斜片であって、この被固定部３３の上端部分には後述する上方材４の下端を当接させる受面部３３１が形成され、その裏面側には後述する補強材８の上端８１を係止できる係止受部３３２が形成されている。
【００３２】
また、この第１実施例にて建築物の外装面に固定される上方材４は、図１（ｃ）に示すように略τ字状に形成される横片部４１の上方（図面の左方）部分４１１が外装下地（５Ｃ）の上面に沿い、その下方（図面の右方）部分４１２が最も軒側の外装材６Ｄの軒側成形部６２に嵌合し、前記横片部４１の中央から下方へ垂下してその下端が内側へ折曲された略Ｌ字状の取付部４２が外装下地（５Ｃ）の軒先部分に係止状に取り付けられる連続材である。
【００３３】
その他の構成を簡単に説明すると、図中の５ＢはＨ躯体、５Ｃは軒棟方向に敷設された構造材（＝断熱材及び軽量鋼材）、５ｄはその上面に敷設された防水シートであり、６Ａは外装材（最も軒先側の外装材のみ６Ｄ）、６ｂはそれを取り付ける吊子、６ｆは外装材の裏面側に添設された裏貼り材、６ｇは鼻隠し壁面５Ａの外側を被覆する化粧材である。
そして、横葺き外装材である外装材６Ａ（６Ｄ）は、略平坦状の面板部６１の軒側、棟側に設けられて相互に係合する軒側成形部６２、棟側成形部６３を備え、構造材５Ｃに固定された吊子６ｂや前記上方材４にて取り付けられ（敷設され）ている。
【００３４】
なお、この第１実施例においては、前記上方材４に対して前記下方材３は、別部材であるが、前記下方材３の略垂直状の縦面である固定部３１を鼻隠し壁面５Ａへ沿わせつつ（当接した状態でスライドさせつつ）、外装下地（５Ｃ）に取り付けられた上方材４の下端がその受面部３３１に当接するようにスライドさせることにより、適正位置に下方材３を配設することができる。
【００３５】
このような構成を有する図１（ａ）の第１実施例の軒先構造(I)は、軒樋１の軒先端及び内側をそれぞれ下方材３にて建築物（鼻隠し壁面５Ａ）取り付けているので、軒樋１が安定に配設される。なお、軒樋１の軒先端については、落ち葉除けであるカバー材２を介して、下方材３に固定したので、軒樋１の軒先端を引っ張るように保持するアームの役割をも果たす。また、このカバー材２により、当然のことながら軒樋１には落ち葉等が混入することもない。
【００３６】
図２に示す第２実施例の軒先構造(II)は、前記第１実施例に用いた下方材３及び上方材４を用い、また保持する軒樋１及びカバー材２についても前記第１実施例と同様であって、外装面を構成する部材類についてもほぼ同様であるが、外装面の傾斜勾配を前記第１実施例に比べて急勾配に変更したので、それに応じて上方材４等の配設角度を変更しただけであり、図面に同様の符号を付して説明を省略する。
【００３７】
図３に示す第３実施例の軒先構造(III)も、前記第２実施例と同様に前記第１実施例に用いた軒樋１及びカバー材２、下方材３及び上方材４を用いたものであるが、傾斜勾配が緩やかな（略水平状の）外装面である点が相違するので、前記部材１〜４については図面に同様の符号を付して説明を省略する。
この第３実施例における外装面は、外装下地については前記第１実施例と同様としたが、その外装下地の上に縦葺き外装材である外装材７Ａを保持部材７ｂにて取り付けている（図面の符号７ｃは保持部材７ｂを固定する固着具である）。
【００３８】
図４（ａ）に示す第４実施例の軒先構造(IV)は、前記第１実施例に用いた下方材３及び上方材４を用い、また保持する軒樋１及びカバー材２についても前記第１実施例と同様であって、外装面を構成する部材類についてもほぼ同様であり、外装面の傾斜勾配を前記第１実施例に比べて急勾配に変更し、それに応じて上方材４等の配設角度を変更した点は前記第２実施例と同様であるが、この第４実施例には、下方材３の変形や破損を防止する補強材８を配設している。
前記補強材８は、図４（ｂ）に示すように上端が略Ｔ字状に形成された縦長片状であって、上端に形成した上方係止部８１が、下方材３に設けた係止受部３３２に係止させるように、高さの中程に設けた上方が開放する溝状部である中間係合部８２が、下方材３の突出片３１２の下端に係合するように、更に下端に形成した下方係止部８３が、下方材３の支持部３２に係合するように取り付ける。
【００３９】
この第４実施例では、前記補強材８が前記下方材３に対して合計３箇所で係止しているので、例えば台風等の突発的に強風が作用するケースなどのように下方材３に軒樋１の大きな荷重が作用することがあったとしても、下方材３の変形や破損を防止することができる。
【００４０】
図５（ａ）や図６（ａ）に示す第５実施例の軒先構造(V)、及び図５（ｂ）や図６（ｂ）に示す第６実施例の軒先構造(VI)では、前記第１〜４実施例に用いた軒樋１より幅広の軒樋１'を用いているが、寸法が異なる以外は特に説明を省略する。
また、第５実施例に用いたカバー材２'も第６実施例に用いたカバー材２"も、軒樋と同様に前記第１〜４実施例に用いたカバー材２より幅広であるが、最も大きな相違は、前記第１〜４実施例に用いたカバー材２が建築物（５Ａ）に固定した下方材３に取り付けたのに対し、これらのカバー材２'，２"は、外装面（５Ｃ）に固定した上方材４-5，４-6に取り付けている点である。なお、第５実施例におけるカバー材２'と第６実施例におけるカバー材２"との相違は、上方材４-5，４-6に沿わせる（支持させる）部分２５が縦面状の固定部２３'の外側（上側）に形成されているか、軒先側（下側）に形成されているかの相違である。
【００４１】
前記第５実施例と前記第６実施例との相違は、軒樋１'と鼻隠し壁面５Ａとの隙間の有無であって、第５実施例に用いた下方材３-5は、図５（ｃ）に示すように前記隙間を隠す化粧部３５１を備える連続材であり、第６実施例に用いる下方材３-6は、図６（ｃ）に示すように前記化粧部（３５１）を必要としないので、固定部３１が略垂直状の連続材である。
【００４２】
即ち第５実施例に用いた下方材３-5は、図５（ｃ）に示すように金属板材等を適宜に成形して形成され、略垂直状の縦面の上端を外側へ折り返して突出片３１２，溝状部３４が形成され、下端を折り曲げて支持部３２が形成され、中間に側方へ略コ字状に突出する成形部が形成され、該成形部の傾斜縦面が固定部３１、下部横面が化粧面３５１であり、下方から見上げた際に美麗な外観を維持するものである。
一方、第６実施例に用いた下方材３-6も図６（ｃ）に示すように金属板材等を適宜に成形して形成され、略垂直状の縦面の上端を外側へ折り返して突出片３１２，溝状部３４が形成され、下端を折り曲げて支持部３２が形成される構成である。
【００４３】
また、第５実施例に用いた上方材４-5も、第６実施例に用いた上方材４-6も、略Ｌ字状に形成した取付部４２が外装下地（５Ｃ）の軒先部分に係止状に取り付けられる点では前記第１〜４実施例における上方材４と同様であるが、これらの上方材４-5，４-6には、図５（ｄ），図６（ｄ）に示すようにカバー材２'，２"に形成した固定部２３'を取り付けるための固定受部４４が縦面状に形成されている。なお、図５（ｄ）における符号４３は、最も軒側の外装材６Ｄの軒側成形部６２に嵌合する嵌合部である。
【００４４】
なお、図５と図６との相違は、図５が側断面図であるのに対し、図６がそれらの側端部を示す側面図である。
即ち図６（ａ），（ｂ）に示すように、軒樋１'の側端には符号８Ａで示される納め材が配設され、図示しない下方への縦樋等にて雨水等を排水することができる。
また、第５実施例における外装面として、裏面にバックアップ材７ｄが添設された横葺き外装材７Ｃを吊子７ｅで取り付けた構成を採用したが、この構造の屋根面の側端にも、符号８Ｂで示される納め材が配設され、雨水等が側方からバックアップ材７ｄへ染み込んだりすることを防止している。
その他の構成を簡単に説明すると、図中の７Ｆは第６実施例における外装面、５Ｆはボード状構造体、５Ｇは角状構造体、５Ｈは天井材、６ｈは鼻隠し壁面５Ａの外側を被覆する化粧材である。
【００４５】
図７（ａ）に示す第７実施例の軒先構造(VII)は、軒樋１もカバー材２も、前記第１〜４実施例に用いたものと殆ど同様であり、更に外装面も前記第１実施例等と全く同様であるが、用いる下方材３-7及び上方材４-7が相違するので、それ以外の構成については図面に前記第１〜第４実施例等と同様の符号を付して説明を省略する。なお、当該実施例のカバー材２は、上端が略平坦状に延在している点が前記第１実施例等とは異なるが、同一符号を付した。この点は以降の第８〜第１３実施例でも同様である。
【００４６】
この第７実施例に用いた下方材３-7は、図７（ｃ）に示すように前記第６実施例における下方材３-6とほぼ同様であって、略垂直状の縦面の上端を外側へ折り返して突出片３１２，溝状部３４が形成され、下端を折り曲げて支持部３２が形成される構成であり、図中、３１１は固定部３１に打ち込まれる固着具３ｂの打ち込み孔である。
また、この第７実施例に用いた上方材４-7は、図７（ｄ）に示すように略τ字状に形成される部分については、前記前記第１〜４実施例に用いた上方材４と全く同様であるが、取付部４２の裏面側（図では左側）に前記下方材３における被固定部３３と同様にカバー材２の上端部分を裏面側から支持すると共に固定部２３を固定する略弧状斜片である被固定部４４が形成されている。
【００４７】
また、図７（ｂ）に示す第８実施例の軒先構造(VIII)も、前記第１〜４実施例に用いた軒樋１及びカバー材２を、前記第７実施例と全く同一の下方材３-7、上方材４-7を用いて取り付けた構造であるが、外装面だけが前記第７実施例とは異なり、この外装面は前記第３実施例と同様である。
【００４８】
これらの第７，第８実施例では、カバー材２の固定部２３を固定する部位（連絡部）が下方材３-7ではなく上方材４-7に設けられているので、軒樋１及びカバー材２の外側（軒先側）の荷重は上方材４-7が負担し、軒樋１の内側（建築物側）の荷重は下方材４-7が負担する構造となるため、全てを内側（建築物側）に負担させていた前記第１〜第６実施例に比べて特に下方材３-7の負担が軽減されるので、図示するように簡易構成の下方材３-7を採用できるし、固着具３ｂに作用する荷重も軽減される。
【００４９】
図８（ａ）に示す第９実施例の軒先構造(IX)は、上方材４-Vと下方材３-Vを用いた一例である。
図８（ｂ）に示す上方材４-Vは、横片部４１の上方（図面の左方）部分４１１が外装下地（５Ｃ）の上面に沿う取付固定部であり、その下方（図面の右方）部分４１２が最も軒側の外装材６Ｄの軒側成形部６２に嵌合する被係合部であって、前記横片部４１の中央から下方へ垂下（垂下片４３）してその下端が内側へ折曲された略Ｌ字状の取付部４２が外装下地（５Ｃ）の軒先部分に嵌合状に取り付けられる連続材である。
また、前記取付部４２の裏面側（図では左側）には、カバー材２の上端部分を裏面側から支持すると共にその固定部２３を固定する略弧状斜片である被固定部４４が形成されている。
【００５０】
前記取付固定部４１１と被係合部４１２とは、横片部４１の上方部分及び下方部分であるから、当然のことながら同一直線上に設けられているが、下方への窪みである排水凹部４１３を介して連続している。
【００５１】
図８（ｃ）に示す下方材３-Vは、前記下方材３-5と同様に軒樋１と鼻隠し壁面５Ａとの隙間を隠す化粧部３５１を備える連続材であって、略垂直状の縦面の上端を外側へ折り返して突出片３１２，溝状部（上方保持部）３４が形成され、下端を折り曲げて支持部３２が形成され、中間に側方へ略コ字状に突出する成形部が形成され、該成形部の傾斜縦面が固定部３１、下部横面が化粧面３５１であり、下方から見上げた際に美麗な外観を維持する構成である。また、前記成形部の傾斜状の縦面が鼻隠し縦面への固定部３１（固着具３ｂ）である。
【００５２】
そして、前記上方材４-Vは、前述のように外装下地（５Ｃ）の上面に沿う取付固定部４１１と、最も軒側の外装材６Ｄの軒側成形部６２に嵌合する被係合部４１２と、カバー材２を固定する被固定部４４とを備えるので、建築物の軒先を保護すると共に該軒先に強固に取り付けることができ、軒樋１及びカバー材２を安定に取り付けることができる。
【００５３】
また、この上方材４-Vでは、取付固定部４１１と被係合部４１２とはほぼ同一直線上に設けられ、排水凹部４１３を介して連続しているので、縦葺き外装材６Ｄが敷設された隙間に至った雨水等が毛細管現象等で更に水上側へ上昇を生ずることがなく、この排水凹部４１３にて雨水等を側方（図面では前方又は奥方）へ流下させることができる。
なお、この上方材４-Vばかりでなく、前記上方材４、４-5、４-6、４-7にも図面に符号は付記していないが、前記排水凹部４１３よりは小さいながら同様に下方への窪みである排水凹部が形成されている。そのため、前記実施例でも同様に毛細管現象による水上側への雨水の上昇を生ずることがない。
【００５４】
また、この第９実施例の軒先構造(IX)では、前記上方材４-Vを外装下地５Ｃや外装材６Ｄに取り付けるものであって、施工が容易であって、取付強度も高い。さらに、この上方材４-Vばかりでなく、それに取り付ける軒樋１やカバー材２についても、特にその形状等を特定しないので、様々な軒樋やカバー材を適用できるため、極めて汎用性が高い。また、この上方材４-Vを取り付けた状態では、特に突出している部分もないため、足場の設置など屋根工事の邪魔になったり破損する恐れも全くない。
【００５５】
図９（ａ）に示す第１０実施例の軒先構造(X)は、前記上方材４-Vを用いた別の一例であって、鼻隠し壁面５Ａが略鉛直状に立設されているので、該鼻隠し壁面５Ａ（の表面を被覆する化粧材６ｇ）との間に隙間は存在しないため、図９（ｂ）に示すような下方材３-VIを用いた。
前記下方材３-VIは、略垂直状の縦面の中間に、側方へ略コ字状に突出する成形部が形成されていない構成であって、突出片３１２、上方保持部３４、支持部３２が同様に形成され、鼻隠し縦面への固定部３１（固着具３ｂ）が略垂直状に形成された略Ｌ字状の構成である。この下方材３-VIは、連続材でもピース材でもよい。
【００５６】
図１０に示す第１１実施例の軒先構造(XI)は、前記上方材４-Vを用いた更に別の一例であって、前記第１０実施例と同様に前記上方材４-Vを用い、また保持する軒樋１及びカバー材２や下方材３-VIについても前記第１０実施例と同様であるが、傾斜勾配が緩やかな（略水平状の）外装面である点が相違するので、前記部材１〜４については図面に同様の符号を付して説明を省略する。
この第１１実施例における外装面は、外装下地については第１０実施例と同様としたが、その外装下地の上に縦葺き外装材である外装材７Ａを保持部材７ｂにて取り付けている（図面の符号７ｃは保持部材７ｂを固定する固着具である）。なお、鼻隠し壁面５Ａの表面を被覆する化粧材６ｇに代えてボード状の化粧材６ｈを用いた。
【００５７】
図１１（ａ）に示す第１２実施例の軒先構造(XII)及び同図（ｂ）に示す第１３実施例の軒先構造(XIII)は、前記第７，第８実施例と同様に、前記第１〜４実施例に用いた軒樋１及びカバー材２が同様であるが、用いる下方材３-9及び上方材４-9が前記第１〜４実施例とも前記第７，第８実施例とも異なる部材を用いている。
【００５８】
これらの第１２，第１３実施例に用いた下方材３-9は、図１１（ｃ）に示すように前記第６〜８実施例における下方材３-6〜7よりも更に簡易な形状であって、略垂直状の縦面の下端を折り曲げて支持部３２が形成される略Ｌ字状片であり、他の実施例の下方材のように突出片３１２や溝状部３４を備えていない簡易な構成である。
また、この第１２実施例に用いた上方材４-9は、図１１（ｄ）に示すように略τ字状に形成される部分、及びカバー材２の上端部分を裏面側から支持すると共に固定部２３を固定する略弧状斜片である被固定部４４が形成される構成については、前記第７，第８実施例における上方材４-7と同様であるが、更に取付部４２の下端から下方へ延在する延在片４６が形成されている。
なお、前記第１１実施例における外装面は、前記第３実施例や前記第８実施例と同様であり、前記第１２実施例における外装面は、前記第１実施例等と同様であるから、図面に同一符号を付して説明を省略する。
【００５９】
そして、これらの第１２，第１３実施例では、前記第７，第８実施例と同様にカバー材２の固定部２３を固定する部位（連絡部）が上方材４-9に設けられているので、軒樋１及びカバー材２の外側（軒先側）の荷重は上方材４-9が負担し、軒樋１の内側（建築物側）の荷重は下方材４-9が負担する構造となるため、全てを内側（建築物側）に負担させていた前記第１〜第６実施例に比べて特に下方材３-9の負担が軽減されるので、図示するように簡易構成の下方材３-9を採用でき、固着具３ｂに作用する荷重も軽減される。
また、これらの第１２，第１３実施例では、下方材３-9に他の実施例の下方材のように溝状部３４が備えられていないため、他の実施例のように軒樋１の内側端を溝状部３４へ差し込んで配設する、という施工の容易さに欠けるが、簡易な構成で部材の作成が容易であるという利点がある。
尤も第１１実施例では、下方へ延在する延在片４６と鼻隠し壁面５Ａとの間が、下方が開放する溝状空間を形成しており、該溝状空間に軒樋１の内側端を差し込んで配設しているので、軒樋１の施工に際して取付が容易となり、更には軒樋１の施工後の安定性が向上する。
【００６０】
図１２（ａ）に示す第１４実施例の軒先構造(XIV)では、前記第１２，第１３実施例と同様に下方材３-11は図１２（ｂ）に示すように略Ｌ字状片であって、上方材４-11は、図１２（ｃ）に示すように略コ字状の取付部４２の下端から下方へ略垂下状に延在する当接片４７と、短い横片を介して更に下方へ略垂下状に延在する延在片４６'が形成される構成である。
【００６１】
そして、この第１４実施例では、前記第１２実施例と同様の効果を奏するが、更に前述のように上方材４-11が下方へ略垂下状に延在する二つの縦片４７，４６を有するため、より安定に上方材４-11を配設でき、より安定に軒樋１を配設することができる。
即ちこの第１４実施例における上方材４-11は、当接片４７が鼻隠し壁面５Ａに沿うように配設されるため、安定にこの上方材４-11を配設することができる。
また、この上方材４-11は、略垂下状の延在片４６'と鼻隠し壁面５Ａとが僅かな間隔を隔てて対向状に配設されるため、下方が開放する溝状空間が軒樋１の内側面１３の上端を保持する作用が高く、軒樋１を安定に配設することができる。
【００６２】
図１３（ａ）に示す第１５実施例の軒先構造(XV)では、軒樋１もカバー材２も、前記第１〜４実施例に用いたものと殆ど同様で、更に外装面も前記第１実施例等と同様であるが、前記上方材と前記下方材とが一体に形成される，図１３（ｂ）に示す軒先支持材９を用いたものである。
【００６３】
この第１５実施例における軒先支持材９は、略垂直状の縦面である固定部３１の下端を略水平状に延在させて支持部９２とし、前記固定部９１の上方には、斜め下方へ延在する突出片９１２が形成され、該突出片９１２と固定部９１との間に下方が開放する溝状部９４が形成されている。なお、前記固定部９１には固着具９ｃが打ち込まれる打ち込み孔９１１が形成されている。
また、前記固定部９１の上端には、縦片（＝取付部９６を形成する縦片）を介して横片部９５が形成され、該横片部９５の上方（図面の左方）部分９５１が外装下地（５Ｃ）の上面に沿い、その下方（図面の右方）部分９５２が最も軒側の外装材６Ｄの軒側成形部６２に嵌合する。この前記横片部９５の中央から下方へ垂下する縦片の内側空間が、外装下地（５Ｃ）の軒先部分に係合状に取り付けられる取付部９６である。さらに、前記取付部９６の外側（図面の左方）には、カバー材２の上端部分を裏面側から支持すると共にその固定部２３を固定する略弧状斜片である被固定部９３が設けられている。
【００６４】
この軒先支持材９は、墨出しを行うことなく適正位置に配設でき、即ち軒樋１の位置決めにも貢献するという効果を有するものである。そのため、この軒先支持材９を用いて軒樋１等を配設する施工も極めて容易に行うことができる。
以下に、その施工を簡単に説明するが、第１に前記軒先支持材９を適正位置に固定し、第２に軒樋１を固定し、第３にカバー材２を取り付けるという手順で容易に施工できる。
【００６５】
まず、軒先支持材９を適正位置に固定するには、外装面を形成する構造材５Ｃの軒先端に取付部９６を嵌合させるように取り付け、固着具９ｂにて構造材５Ｃの上面に沿わせるように取り付けるが、その際、鼻隠し壁面５Ａに固定部９１を沿わせて固定具９ｃにて取り付けるので、固着具９ｂ，９ｃの固定作業を安定に行うことができ、またこの軒先支持材９は二箇所の固定にて安定に取り付けられる。
【００６６】
次に、固定した軒先支持材９に対し、軒樋１の内側面１３の上端を溝状部９４に差し込むと共に被支持部１３１が支持部９２に支持されるように配設し、軒先側（図面左側）から固着具１ｂを打ち込んで鼻隠し壁面５Ａに固定する。
なお、この時点では軒樋１は、一方（図面右側）のみが固定されているに過ぎないので、施工作業者が部材の変形を防止する為に下方から保持しておく必要がある。
【００６７】
更に、カバー材２を、固定した軒樋１の上面を覆うように配設し、その上端に設けた固定部２３を、軒先支持材９の被固定部９３に固着具２ｂにて取り付ける（固定する）が、その際、カバー材２の軒先端２２は、略コ字状の係合部であるから、軒樋１の軒先端１２１に下方から保持するように係合させることができる。
【００６８】
この第１５実施例では、前記構成の軒先支持材９を用いることにより、その取り付けも、それに対する軒樋１の取り付けも、カバー材２の取り付けも、それぞれに容易に行うことができる上、墨出しを行うことなく適正位置に配設できる。
また、軒先支持材９の固定は、構造材５Ｃ及び鼻隠し壁面５Ａのそれぞれに跨っているので、軒樋１等の荷重を外装面及び建築物の両方に負担させることができ、固定箇所への負担も一箇所に集中させることがないので、継続的に安定な取付となる。
【００６９】
図１４（ａ）に示す第１６実施例の軒先構造(XVI)は、軒樋１もカバー材２も、前記第１〜４実施例に用いたものと殆ど同様で、更に外装面も前記第３実施例と同様であるが、前記上方材と前記下方材とが一体に形成される図１４（ｂ）に示す軒先支持材９'を用いたものである。
【００７０】
この第１６実施例における軒先支持材９'は、該軒先支持材９'を取り付ける外装面（構造材５Ｃ）の配設角度が略水平状であるため、それに応じて取付部９６'の角度が異なる以外は、殆ど前記第１５実施例における軒先支持材９と同様であるから、図面に同一符号を付して説明を省略する。
【００７１】
この第１６実施例でも、前記第１５実施例と全く同様の効果を奏することができ、前述の軒樋１を適正位置に固定できる効果、及び軒樋１を安定に保持できる効果を継続させることができる。
【符号の説明】
【００７２】
１，１'  軒樋
１１  底面
１２  内側面
１２１  軒先端
１３  外側面
１３１  被支持部
２，２'，２"  カバー部材
２１  化粧面
２２  軒先端
２３，２３'  固定部
３，３-5，３-6，３-7，３-9，３-11  下方材
３１  固定部
３１１  打ち込み孔
３１２  突出片
３２  支持部
３３  被固定部
３４  溝状部
３５１  化粧面
４，４-5，４-6，４-7，４-9，４-11  上方材
４１  横片部
４２  取付部
４４  被固定部
５Ａ  鼻隠し壁面（建築物）
５Ｂ  Ｈ躯体
５Ｃ  構造材（＝断熱材及び軽量鋼材、外装面、外装下地）
６Ａ  横葺き外装材
６ｂ  吊子
６Ｄ  最軒側の外装材
７Ａ  外装材
７ｂ  保持部材
７ｃ  固着具
８  補強材
９，９'  軒先支持材
９１  固定部
９２  支持部
９３  被固定部
９４  溝状部
９５  横片部
９６，９６'  取付部
９ｂ，９ｃ  固着具
【図１】
2019007239.tif 000003
【図２】
2019007239.tif 000004
【図３】
2019007239.tif 000005
【図４】
2019007239.tif 000006
【図５】
2019007239.tif 000007
【図６】
2019007239.tif 000008
【図７】
2019007239.tif 000009
【図８】
2019007239.tif 000010
【図９】
2019007239.tif 000011
【図１０】
2019007239.tif 000012
【図１１】
2019007239.tif 000013
【図１２】
2019007239.tif 000014
【図１３】
2019007239.tif 000015
【図１４】
2019007239.tif 000016